(57)【特許請求の範囲】
【請求項１】
複写したい見開きの紙面の裏側の綴じ目に、コピー面と垂直になり、かつ、コピー面と平行を保つことができる断面の形状が直角三角形をした２本の棒状の本体を差し入れることによって、複写したい見開きの紙面の綴じ目を挟むとともに、コピーガラス面に密着させることを特徴とする複写補助用品。
【請求項２】
前記棒状の本体は、開くことが可能な頭部に接続されていることを特徴とする請求項１に記載の複写補助用品。
【請求項３】
前記棒状の本体は、頭部に回転できるように接続し、直角面を合わせるようにした使い方ができるようにしたことを特徴とする請求項１又は請求項２に記載の複写補助用品。
【請求項４】
前記棒状の本体が弓形になっていることを特徴とする請求項１〜請求項３のいずれかに記載の複写補助用品。
【請求項５】
前記棒状の本体の一部又は全面に磁石が組み込まれたことを特徴とする請求項１〜請求項５のいずれかに記載の複写補助用品。
【発明の詳細な説明】
【０００１】
【産業上の利用分野】
本発明は本、雑誌等を複写する場合の複写用品に関するものである。とりわけページが左右にまたがる見開きページの場合に良好な複写物をうるための補助具に関するものである。
【０００２】
【発明が解決しようとする課題】
従来、綴じ目のある本や、住宅地図等の左右ページにまたがった原稿を開いて両頁を一枚の用紙に複写する場合においては、綴じ目部分に光が届かず黒く着色されて複写されるため、色むらのない良好な印字物を得ようとする場合、複写した用紙の汚れ部を切り取ったのちにさらに複写を重ねることが必要なため、コピー用紙がさらに必要になり、コスト的にも資源上も大きな問題となっていた。
またコピー面に密着していない部分の文字や図面は縮尺がのびる場合があり精度の良い複写物を得ることが困難であった。
【０００３】
そこで本発明は、コピー機からの露出光が届かず綴じ目部分が黒ずむ事、また、文字が伸びたりするのを防ぐことができ、容易に美しい仕上がりの複写物を得ることを目的とするものである。
【０００４】
【課題を解決するための手段】
請求項１に記載の本発明では、複写したい見開きの紙面の裏側の綴じ目に、コピー面と垂直になり、かつ、コピー面と平行を保つことができる断面の形状が直角三角形をした２本の棒状の本体を差し入れることによって、複写したい見開きの紙面の綴じ目を挟むとともに、コピーガラス面に密着させることを特徴とする複写補助用品を提供する。
また、請求項２に記載の本発明では、前記棒状の本体は、開くことが可能な頭部に接続されていることを特徴とする請求項１に記載の複写補助用品を提供する。
また、請求項３に記載の本発明では、前記棒状の本体は、頭部に回転できるように接続し、直角面を合わせるようにした使い方ができるようにしたことを特徴とする請求項１又は請求項２に記載の複写補助用品を提供する。
また、請求項４に記載の本発明では、前記棒状の本体が弓形になっていることを特徴とする請求項１〜請求項３のいずれかに記載の複写補助用品を提供する。
また、請求項５に記載の本発明では、前記棒状の本体の一部又は全面に磁石が組み込まれたことを特徴とする請求項１〜請求項５のいずれかに記載の複写補助用品を提供する。
【０００５】
本発明によると、両頁を同時複写する場合で綴じ目が深いときに、２本の三角形棒状の辺を綴じ目に差し入れ、複写したい頁を棒状の本体の間で挟み、頁の綴じ目の所まで書いてある文字や、地図、絵などがかからないくらいの所で両方の紙の面を合わせ本器具で固定する。頭部に本体を固定する場合において、実施例に記した場合のように頭部と本体間に回転できかつ固定可能な軸を設け、被複写物の性質によって使い分けることを可能にすることができる。すなわち、被複写物の綴じ目の深さによって三角形の長辺の方の面を合わせて、面と面の間に隙間が出来ないように固定し短辺の面をコピー機に接して複写するか、短辺の面を合わせて長辺の面をコピー機に接して複写するかを選択することができる。
本発明の補助用具は金属、プラスチック等単独、または組み合わせにより作製することができる。また未使用時は外側に弓形に開いており複写物の紙面をはさんで両端を固定する場合に紙面をしっかりと保持できるようにすることが好ましい。またヘアピンのように全体がバネ様のもので作製することもできる。本体の全部または一部に磁石を組み込む、または張り合わせることによりより簡易に両方の紙面を固定することが可能になる。
本発明において非複写物中のページを押さえる棒状の器具の形状は、押さえた両ページがずれないようにすることが重要である。この目的が達せられる場合は棒状器具の断面は任意の形状をとることができる。具体的な断面の形として円形、多角形いずれの形状でも使用することができる。好ましい断面の形は、紙との接触面積を増やし押さえるべき部分がずれないようにするとともに押さえる器具同士が紙を通して接触できるよう三角形状もしくは多角形状であって、特定の辺が平行であることが好ましい。特に好ましくはコピー機のコピー面に垂直になりかつコピー面と平行を保つことが出来る直角三角形もしくはそれと同様な働きをする断面を有することが好ましい。
また棒状の押さえ冶具は蝶番部から留め具２の方向にある角度を持たせて開くようにすることもできる。また、曲面を持たせて広がる形状にすると非複写物を押さえた際、本発明の補助具がばねのように作用するため、複写を行う際に位置がずれにくく好ましい。
【０００６】
【作用】
綴じ目のあるもので、それを開き両頁を一枚に複写する場合に、頁と頁の間にできる隙間を最小にするため、本発明の補助具を用いてコピーガラス面に密着させることにより綴じ目の部分の黒ずみや文字、図面のゆがみをなくすことができる。
【０００７】
【実施例】
図１に示す本発明は第１実施例について説明する
図１は使用状態を示す図で、図２の１ａ蝶番で２ａ，３ａに１ａを固定し、２ａと３ａには、直角形である１ｂ、２ｂを回転させる為に連結の役目をする３ｂ，４ｂである。また、２ａ，３ａはそれを受ける図６の受け溝を形成している１ｃ，２ｃも同様で図６の受け溝を形成している。
【０００８】
図１の紙面１２，１３の複写をするときに、補助用具１を紙面１３と１５、１２と１６の綴じ目に差し入れて双方より挟み固定する。図３のように固定した状態が補助用具の断面図である。
【０００９】
図５の断面図は、図３の断面図で直角形回転棒を使用した状態で図５Ａ，Ｂを形成して図３の（１７）、（１８）を接面させる。又、図５Ｃ，Ｄは図３の（１９）、（２０）を接面させた状態である。
【００１０】
図１で補助用具（１）を図３のようにより強く密着させる為には、図２の頭部の１ｄと後部３ｄとを平行直線で結ぶようにし又２ｄと４ｄも前述のようにし５ｄ、６ｄの面が１ｄと３ｄ、２ｄと４ｄそれぞれ直線で結んだ線よりも閉じる方向の内側に出るように設置することにより、図４の固定金具（エ）で締めつける。（エ）には先端部にプラスチックローラーを使用し、（エ）の金具の張りや弛みを調整するために装着する。（ア）のプラスッチクローラーにはスムーズに開閉出来るようにローラーを回す軸の部分に開閉用取手を形成しておく。又（ウ）の部分に（エ）の金具を固定する為に（オ）の固定用心棒を（ウ）の部分に形成し、（エ）の金具をスプリングのようにまるくして心棒に巻き付けて止めておいてもよく、心棒を軸に開閉を行うことが出来る。
図４で（エ）の部分止め金具は図２である３ｃ，４ｃで、（イ）の部分にはプラスチックローラーの歯車で止めをより効果的に固定出来るようにローラーが通過する最後の角を弧を描く形とし、又その所に半円の溝を形成してその中にプラスチックローラーを止めるようにする。
【００１１】
図２で３ｂ，４ｂ，５ｂ，６ｂ，は１ｂ，２ｂ，を回転させる軸で、又２ａ，３ａ，及び１ｃ，２ｃを連結させる役目で図６、図７の受け溝に差し入れて４分の１半円を形成し図７の溝の深さは５ミリ程度とし、Ｅ，Ｆの受け溝部分に４分の１か５分の１の所の上下部分に磁気を設け３ｂ，４ｂ，５ｂ，６ｂ，は鉄かステンレス材質とするか、又磁気に反応する材質でもよい。図３の１９と２０、１７と１８の面を短辺、長辺と使い分ける際に磁気により使う面を指定した状態で使用できる。
【図面の簡単な説明】
【図１】本考案の使用状態を示す図
【図２】本考案の補助具の本体図
【図３】本考案の補助具使用断面図
【図４】本考案の止め金具の断面図
ａ本考案のプラスチックローラーで閉じて止めた側面図
ｂ本考案の止め金具を取付つけた状態の位置を示す図
【図５】本考案の回転三角形棒の側面断面図
【図６】本考案の回転軸を受ける頭部、後部の断面図
【図７】本考案の回転軸を受ける受け溝の磁気の位置
【図８】本考案の後部に本体を取り付ける方法と取り付けねじ位置図
【図９】本考案の後部上下の取り付け止めねじ穴の形状
【図１０】本考案の頭部に本体を取り付ける方法と取り付けねじ位置図
【図１１】本考案の頭部上下の取り付け止めねじ穴の形状
【図１２】本考案の頭部に蝶番を固定する位置と頭部に止めねじ穴を開けた位置の断面図
【図１３】本考案の蝶番の止め穴位置図
【図１４】本考案の蝶番を頭部に取り付けるねじ締めの方向を示す図
【符号の説明】
１複写補助用具
２止め金具
３止め金具
４回転直角三角形棒
５回転直角三角形棒
６つり下げ金具
７開閉蝶番
８蝶番固定頭部
９蝶番固定頭部
１０留め金具固定後部
１１留め金具固定後部
【図１】
0003554511.tif 000002
【図２】
0003554511.tif 000003
【図３】
0003554511.tif 000004
【図４】
0003554511.tif 000005
【図５】
0003554511.tif 000006
【図６】
0003554511.tif 000007
【図７】
0003554511.tif 000008
【図８】
0003554511.tif 000009
【図９】
0003554511.tif 000010
【図１０】
0003554511.tif 000011
【図１１】
0003554511.tif 000012
【図１２】
0003554511.tif 000013
【図１３】
0003554511.tif 000014
【図１４】
0003554511.tif 000015